(57)【要約】【課題】液浸露光装置において、露光精度の低下を許容範囲内に抑える。【解決手段】主制御装置が、液体ＬＱ２を交換する第２液体供給装置２３１と第２液体回収装置２４１による液体の交換を、所定の判断対象（液体の温度）が所定条件を満たした場合（所定温度以上になった場合）に実行することとしているので、液体ＬＱ２の交換が適切なタイミングで行われる。従って、液体ＬＱ２の温度上昇等による露光精度の低下を許容範囲内に抑えることが可能である。【選択図】図２
2006332206.tif 000002
【特許請求の範囲】
【請求項１】
液体を介して物体上にエネルギビームを照射して、前記物体を露光する露光装置であって、
前記液体を交換する交換装置と；
前記交換装置による液体の交換を、所定の判断対象が所定条件を満たした場合に実行する制御装置と；を備える露光装置。
【請求項２】
前記所定の判断対象は、前記液体の物性を含むことを特徴とする請求項１に記載の露光装置。
【請求項３】
前記液体の物性は、前記液体の温度と前記エネルギビームに関する前記液体の透過率との少なくとも一方を含むことを特徴とする請求項２に記載の露光装置。
【請求項４】
前記液体の温度は、前記液体の温度分布を含むことを特徴とする請求項３に記載の露光装置。
【請求項５】
前記液体の温度分布は、前記液体の最高温度と最低温度との差を含むことを特徴とする請求項４に記載の露光装置。
【請求項６】
前記所定の判断対象は、前記液体を含む光学系の光学特性を含むことを特徴とする請求項１〜５のいずれか一項に記載の露光装置。
【請求項７】
前記光学特性は、前記エネルギビームに関する前記液体の透過率を含むことを特徴とする請求項６に記載の露光装置。
【請求項８】
前記所定の判断対象を直接的又は間接的に求めるための計測装置を更に備える請求項１〜７のいずれか一項に記載の露光装置。
【請求項９】
前記所定の判断対象は、所定動作の回数を含むことを特徴とする請求項１〜８のいずれか一項に記載の露光装置。
【請求項１０】
前記所定動作は、前記物体のショット間ステッピング動作、及び照明条件切り替え作業の少なくとも一方を含むことを特徴とする請求項９に記載の露光装置。
【請求項１１】
前記制御装置は、前記交換装置による液体の交換後、前記液体を含む光学系の光学特性のキャリブレーションを行うことを特徴とする請求項１〜１０のいずれか一項に記載の露光装置。
【請求項１２】
前記制御装置は、前記交換装置による液体の交換後、前記液体が所定状態になった段階で前記物体を露光する動作を開始することを特徴とする請求項１〜１１のいずれか一項に記載の露光装置。
【請求項１３】
前記制御装置は、一定時間の待機、及び前記物体が露光されない状態での前記エネルギビームの照射、のいずれかにより、前記液体の温度を所定範囲内にした段階で前記物体を露光する動作を開始することを特徴とする請求項１２に記載の露光装置。
【請求項１４】
前記制御装置は、前記液体の交換を、複数回に分割して行うことを特徴とする請求項１〜１３のいずれか一項に記載の露光装置。
【請求項１５】
前記所定条件は、前記判断対象の初期状態からの変動量に関する条件を含むことを特徴とする請求項１〜９のいずれか一項に記載の露光装置。
【請求項１６】
前記液体を含む光学系の少なくとも一部を構成する光学素子のビーム射出側に前記物体が配置され、
前記交換装置は、前記光学素子のビーム入射側のビーム路を満たす前記液体を交換することを特徴とする請求項１〜１５のいずれか一項に記載の露光装置。
【請求項１７】
液体を含む光学系を介して物体上にエネルギビームを照射して、前記物体を露光する露光装置であって、
前記光学系の光学特性を計測する計測装置と；
前記計測装置による計測動作を、前記液体に関する第１の判断対象が第１の条件を満たした場合に実行する制御装置と；を備える露光装置。
【請求項１８】
前記第１の判断対象は、前記液体の温度と前記エネルギビームに関する前記液体の透過率との少なくとも一方を含むことを特徴とする請求項１７に記載の露光装置。
【請求項１９】
前記液体の温度は、前記液体の温度分布を含むことを特徴とする請求項１８に記載の露光装置。
【請求項２０】
前記液体の温度分布は、前記液体の最高温度と最低温度との差を含むことを特徴とする請求項１９に記載の露光装置。
【請求項２１】
前記液体を含む光学系の光学特性は、前記エネルギビームに関する前記液体の透過率を含むことを特徴とする請求項１７〜２０のいずれか一項に記載の露光装置。
【請求項２２】
前記計測装置の計測結果に基づいて、前記光学系の光学特性を調整する調整装置を更に備える請求項１７〜２１のいずれか一項に記載の露光装置。
【請求項２３】
前記液体を交換する交換装置を更に備え、
前記制御装置は、前記液体に関する第２の判断対象が第２の条件を満たした場合に、前記交換装置による前記液体の交換を実行することを特徴とする請求項１７〜２２のいずれか一項に記載の露光装置。
【請求項２４】
前記第２の判断対象は、前記液体の物性を含むことを特徴とする請求項２３に記載の露光装置。
【請求項２５】
前記液体の物性は、前記液体の温度と前記エネルギビームに関する前記液体の透過率との少なくとも一方を含むことを特徴とする請求項２４に記載の露光装置。
【請求項２６】
前記第１の判断対象と前記第２の判断対象とは同一であり、前記第１の条件と前記第２の条件とは異なることを特徴とする請求項２３〜２５のいずれか一項に記載の露光装置。
【請求項２７】
前記第２の判断対象は、前記計測装置の計測結果を含むことを特徴とする請求項２３〜２５のいずれか一項に記載の露光装置。
【請求項２８】
前記第１の条件及び第２の条件は、前記判断対象の初期状態からの変動量に関する条件を含むことを特徴とする請求項２３〜２７のいずれか一項に記載の露光装置。
【請求項２９】
前記光学系の少なくとも一部を構成する光学素子のビーム射出側に前記物体が配置され、
前記交換装置は、前記光学素子のビーム入射側のビーム路を満たす前記液体を交換することを特徴とする請求項２３〜２８のいずれか一項に記載の露光装置。
【請求項３０】
液体を介して物体上にエネルギビームを照射して、前記物体上の複数のショット領域を順次露光する露光装置であって、
前記液体を交換する交換装置と；
前記交換装置による液体の交換を、前記物体上のあるショット領域の露光完了後、次のショット領域の露光を開始する前のステッピング期間に実行する制御装置と；を備える露光装置。
【請求項３１】
液体を介して物体上にエネルギビームを照射して、前記物体上の複数のショット領域を順次露光する露光装置であって、
所定パターンの像を前記液体を介して前記物体上に投影するために、前記所定パターンを前記エネルギビームを使って照明する照明系と；
前記液体を交換する交換装置と；
前記交換装置による液体の交換を、前記所定パターンに対する照明条件の切り換え動作中に実行することを特徴とする露光装置。
【請求項３２】
請求項１〜３１のいずれか一項に記載の露光装置を用いて物体を露光し、該物体上にデバイスパターンを形成するリソグラフィ工程を含むデバイス製造方法。
【発明の詳細な説明】
【技術分野】
【０００１】
本発明は露光装置及びデバイス製造方法に係り、更に詳しくは、液体を含む光学系を介して物体上にエネルギビームを照射して、物体を露光する露光装置、及び該露光装置を用いるデバイス製造方法に関する。
【背景技術】
【０００２】
従来より、半導体素子（集積回路等）、液晶表示素子等の電子デバイスを製造するリソグラフィ工程では、マスク（又はレチクル）のパターンの像を投影光学系を介して、レジスト（感光剤）が塗布されたウエハ又はガラスプレート等の感光性の物体（以下、「ウエハ」と呼ぶ）上の複数のショット領域の各々に転写するステップ・アンド・リピート方式の縮小投影露光装置（いわゆるステッパ）や、ステップ・アンド・スキャン方式の投影露光装置（いわゆるスキャニング・ステッパ（スキャナとも呼ばれる））などが、主として用いられている。
【０００３】
また、最近、実質的に露光波長を短くして、かつ空気中に比べて焦点深度を大きく（広く）する方法として、液浸法を利用した露光装置が、注目されるようになってきた。この液浸法を利用した露光装置として、投影光学系の下端面、すなわちウエハに対向する投影光学系の終端に位置する光学部材の下面とウエハ表面との間の空間を水又は有機溶媒等の液体で局所的に満たした状態で露光を行うものが知られている（例えば、下記特許文献１参照）。
【０００４】
また、液浸法を利用した露光装置として、終端の光学部材を平行平板とし、該平行平板の下面側の空間を液体で満たすとともに、平行平板の上面側の空間も液体で満たす技術が提案されている（例えば、下記特許文献２参照）。
【０００５】
このような液浸露光装置では、露光中に平行平板の上面側の空間の液体を交換しようとすると、平行平板の上面と対向する光学素子が振動し、露光精度が低下するおそれがある。
【０００６】
一方、液体は露光光の照射により温度が変動するため、液体を含む光学系の光学特性が変動してしまい、これにより、露光精度が低下するおそれがある。
【０００７】
【特許文献１】国際公開第９９／４９５０４号パンフレット
【特許文献２】国際公開第２００４／０１９１２８号パンフレット
【発明の開示】
【課題を解決するための手段】
【０００８】
本発明は、上述した事情の下になされたものであり、第１の観点からすると、液体を介して物体上にエネルギビームを照射して、前記物体を露光する露光装置であって、前記液体を交換する交換装置と；前記交換装置による液体の交換を、所定の判断対象が所定条件を満たした場合に実行する制御装置と；を備える第１の露光装置である。
【０００９】
これによれば、交換装置による液体交換が適切なタイミングで行われることにより、露光精度の低下を許容範囲内に抑えることが可能となる。また、液体交換が適切なタイミングで行われることで装置のダウンタイムを低減することが可能となる。
【００１０】
本発明は、第２の観点からすると、液体を含む光学系を介して物体上にエネルギビームを照射して、前記物体を露光する露光装置であって、前記光学系の光学特性を計測する計測装置と；前記計測装置による計測動作を、前記液体に関する第１の判断対象が第１の条件を満たした場合に実行する制御装置と；を備える第２の露光装置である。
【００１１】
これによれば、計測装置による計測が適切なタイミングで行われることにより、液体の温度上昇等に起因して変化する光学系の光学特性が露光精度に影響を与えるほど悪化する前にその光学特性を計測することが可能となる。この計測結果を考慮して露光を行うことにより、露光精度を高く維持することが可能となる。また、適切なタイミングで光学系の光学特性の計測が行われることで、装置のダウンタイムを低減することが可能である。
【００１２】
本発明は、第３の観点からすると、液体を介して物体上にエネルギビームを照射して、前記物体上の複数のショット領域を順次露光する露光装置であって、前記液体を交換する交換装置と；前記交換装置による液体の交換を、前記物体上のあるショット領域の露光完了後、次のショット領域の露光を開始する前のステッピング期間に実行する制御装置と；を備える第３の露光装置である。
【００１３】
これによれば、液体の交換に伴って振動が発生する場合であっても、その振動の露光精度への影響を極力抑制することが可能となる。また、液体交換のために別途時間をとる必要が無いので、装置のダウンタイムの低減を図ることができる。
【００１４】
本発明は、第４の観点からすると、液体を介して物体上にエネルギビームを照射して、前記物体上の複数のショット領域を順次露光する露光装置であって、所定パターンの像を前記液体を介して前記物体上に投影するために、前記所定パターンを前記エネルギビームを使って照明する照明系と；前記液体を交換する交換装置と；前記交換装置による液体の交換を、前記所定パターンに対する照明条件の切り換え動作中に実行することを特徴とする第４の露光装置である。
【００１５】
これによれば、比較的長い間露光装置が停止する照明条件の切り替え動作中に液体交換をでき、別途液体交換のための時間をとる必要がない。したがって、露光装置のダウンタイムを低減することができるので、露光装置のスループットを向上することが可能となる。
【００１６】
また、リソグラフィ工程において、本発明の第１〜第４の露光装置を用いて物体上にデバイスパターンを転写することにより、高集積度のマイクロデバイスの生産性を向上することが可能である。従って、本発明は、更に別の観点からすると、本発明の第１〜第４の露光装置のいずれかを用いるリソグラフィ工程を含むデバイス製造方法であるとも言える。
【発明を実施するための最良の形態】
【００１７】
《第１の実施形態》
以下、本発明の第１の実施形態を図１〜図５に基づいて説明する。
【００１８】
図１には、第１の実施形態に係る露光装置１０の構成が概略的に示されている。この露光装置１０は、露光光源にパルス光源としてのエキシマレーザを用いたステップ・アンド・スキャン方式の走査型露光装置、すなわちいわゆるスキャナである。
【００１９】
露光装置１０は、光源１６及び照明光学系１２を含む照明系、該照明系からの露光用照明光ＩＬにより照明されるマスクとしてのレチクルＲを保持して所定の走査方向（図１においてはＹ軸方向とする）に移動するレチクルステージＲＳＴ、レチクルＲのパターンを物体としてのウエハＷ上に投影する投影光学系ＰＬを含む投影ユニットＰＵ、ウエハＷを保持して水平面（ＸＹ平面内）を移動するウエハステージＷＳＴ及び計測ステージＭＳＴを含むステージ装置１５０、並びにこれらの制御系等を備えている。
【００２０】
光源１６としては、一例として波長１９３ｎｍの真空紫外域のパルス光を発するＡｒＦエキシマレーザが用いられている。
【００２１】
前記照明光学系１２は、所定の位置関係で配置された、ビーム整形光学系１８、エネルギ粗調器２０、オプティカル・インテグレータ（ユニフォマイザ、又はホモジナイザ）２２、照明系開口絞り板２４、ビームスプリッタ２６、第１リレーレンズ２８Ａ、第２リレーレンズ２８Ｂ、固定レチクルブラインド３０Ａ、可動レチクルブラインド３０Ｂ、光路折り曲げ用のミラーＭ及びコンデンサレンズ３２等を含んでいる。なお、オプティカル・インテグレータ２２としては、フライアイレンズ、内面反射型インテグレータ、又は回折光学素子などが用いられるが、図１ではフライアイレンズを用いているので、以下では「フライアイレンズ」とも呼ぶ。
【００２２】
前記エネルギ粗調器２０は、ビーム整形光学系１８後方のレーザビームＬＢの光路上に配置され、回転板（レボルバ）３４の周囲に透過率（＝１−減光率）の異なる複数個（例えば６個）のＮＤフィルタ（図１ではそのうちの２個のＮＤフィルタが示されている）を配置し、その回転板３４を駆動モータ３８で回転することにより、入射するレーザビームＬＢに対する透過率を１００％から複数段階で切り換えることができるようになっている。駆動モータ３８は、主制御装置５０によって制御される。
【００２３】
エネルギー粗調器２０の後方には、円板状部材から成る照明系開口絞り板２４がフライアイレンズ２２を介して配置されている。この照明系開口絞り板２４には、等角度間隔で、例えば通常の円形開口より成る開口絞り（通常絞り）、小さな円形開口より成りコヒーレンスファクタであるσ値を小さくするための開口絞り（小σ絞り）、輪帯照明用の輪帯状の開口絞り、及び変形光源法用に複数の開口を偏心させて配置して成る変形開口絞り（図１ではこのうちの２種類の開口絞りのみが図示されている）等が配置されている。この照明系開口絞り板２４は、主制御装置５０により制御されるモータ等の駆動装置４０により回転されるようになっており、これによりいずれかの開口絞りが照明光ＩＬの光路上に選択的に設定される。
【００２４】
前記照明系開口絞り板２４後方の照明光ＩＬの光路上に、反射率が小さく透過率の大きなビームスプリッタ２６が配置され、更にこの後方の光路上に、固定レチクルブラインド（固定視野絞り）３０Ａ及び可動レチクルブラインド（可動視野絞り）３０Ｂを介在させて第１リレーレンズ２８Ａ及び第２リレーレンズ２８Ｂを含むリレー光学系が配置されている。
【００２５】
固定レチクルブラインド３０Ａは、レチクルＲのパターン面に対する共役面から僅かにデフォーカスした面に配置され、レチクルＲ上の照明領域ＩＡＲを規定する矩形開口が形成されている。また、この固定レチクルブラインド３０Ａの近傍に可変の開口部を有する可動レチクルブラインド３０Ｂが配置され、走査露光の開始時及び終了時にその可動レチクルブラインド３０Ｂを用いて照明領域ＩＡＲを更に制限することによって、不要な露光が防止されるようになっている。
【００２６】
リレー光学系の少なくとも一部を構成する第２リレーレンズ２８Ｂ後方の照明光ＩＬの光路上には、当該第２リレーレンズ２８Ｂを通過した照明光ＩＬをレチクルＲに向けて反射する折り曲げミラーＭが配置され、このミラーＭ後方の照明光ＩＬの光路上にコンデンサレンズ３２が配置されている。
【００２７】
一方、ビームスプリッタ２６の一方の面（表面）で反射された照明光ＩＬは、集光レンズ４４を介して光電変換素子より成るインテグレータセンサ４６で受光され、インテグレータセンサ４６の光電変換信号が、不図示のホールド回路及びＡ／Ｄ変換器などを介して出力ＤＳ（digit/pulse）として主制御装置５０に供給される。インテグレータセンサ４６としては、例えば遠紫外域や真空紫外域で感度があり、且つ光源１６のパルス発光を検出するために高い応答周波数を有するＰＩＮ型のフォトダイオード等が使用できる。
【００２８】
インテグレータセンサ４６の出力ＤＳと、後述する照射量モニタによって計測される投影光学系ＰＬの像面上の照明光の照射領域ＩＡ（前述の照明領域ＩＡＲと共役な領域）における照明光ＩＬの単位面積当たりのパルスエネルギ（露光量）［ｍＪ／ｃｍ2］との相関係数αは予め求められており、その相関係数αは主制御装置５０に接続されたメモリ５１内に格納されている。
【００２９】
また、ビームスプリッタ２６の他方の面（裏面）で反射した光を受光するために、照明光学系１２の瞳面と共役な位置に光電変換素子よりなる反射量モニタ４７が配置されている。本第１の実施形態では、ウエハＷで反射された照明光ＩＬ（反射光）は、投影光学系ＰＬ、コンデンサレンズ３２、ミラーＭ、リレー光学系を介してビームスプリッタ２６に戻り、ビームスプリッタ２６で反射された光が反射量モニタ４７で受光され、反射量モニタ４７の検出信号が主制御装置５０に供給されるようになっている。
【００３０】
従って、露光中には、インテグレータセンサ４６の出力信号よりレチクルＲ、投影光学系ＰＬ等に入射する照明光ＩＬの光量（第１光量とする）がモニタされ、反射量モニタ４７の検出信号よりウエハＷで反射されて投影光学系ＰＬ、レチクルＲ等を再び通過する反射光の光量（第２光量とする）がモニタできるため、その第１光量と第２光量とに基づいて、投影光学系ＰＬを通過する光の全光量がより正確にモニタできるようになっている。
【００３１】
前記レチクルステージＲＳＴ上には、不図示のレチクル支持機構が設けられ、該レチクル支持機構にバキュームチャック等によってレチクルＲが吸着保持されている。レチクルステージＲＳＴは、例えばリニアモータ方式のレチクルステージ駆動系４８によって、水平面（ＸＹ平面）内で微小駆動（Ｚ軸回りの回転（θｚ回転）を含む）が可能であるとともに、走査方向（ここでは図１の紙面左右方向であるＹ軸方向とする）に所定ストローク範囲で走査されるレチクルステージＲＳＴの位置は、レチクルステージＲＳＴに設けられた反射面を使って外部のレチクルレーザ干渉計５４Ｒによって計測され、このレチクルレーザ干渉計５４Ｒの計測値が主制御装置５０に供給される。
【００３２】
また、図１では不図示であるが、レチクルＲの上方には、投影光学系ＰＬを介してレチクルＲ上の一対のレチクルアライメントマークとこれらに対応する計測ステージＭＳＴ上に設けられた基準マーク領域ＦＭ（図４等参照）上の一対の基準マーク（以下、「第１基準マーク」と呼ぶ）との位置関係を露光波長の光を用いて投影光学系ＰＬを介して検出する一対のレチクルアライメント検出系ＲＡａ，ＲＡｂ（図５参照）がＸ軸方向に所定距離隔てて設けられている。レチクルアライメント検出系ＲＡａ，ＲＡｂとしては、例えば特開平７−１７６４６８号公報（対応する米国特許第５，６４６，４１３号）などに開示されるものと同様の構成のものが用いられている。
【００３３】
図１において、前記投影ユニットＰＵは、レチクルステージＲＳＴの下方に配置されている。投影ユニットＰＵは、鏡筒２４０と、該鏡筒２４０内に所定の位置関係で保持された複数の光学素子を有する投影光学系ＰＬとを含んでいる。投影光学系ＰＬとしては、例えば両側テレセントリックな縮小系であり、共通のＺ軸方向の光軸ＡＸを有する複数枚のレンズエレメントから成る屈折系が用いられている。また、この投影光学系ＰＬの投影倍率は、β（βは例えば１／４，１／５又は１／８等）である。照明光ＩＬによりレチクルＲ上の照明領域ＩＡＲが照明されると、そのレチクルＲに形成されたパターンの投影光学系ＰＬによって投影倍率βで縮小された像が、表面にレジスト（感光剤）が塗布されたウエハＷ上のスリット状の照射領域（照明領域ＩＡＲに共役な領域）ＩＡに形成される。
【００３４】
なお、投影光学系ＰＬとして、上記特許文献２（国際公開第２００４／０１９１２８号パンフレット）に記載されているのと同様の、ミラーとレンズとを含む反射屈折系（カタディ・オプトリック系）を用いても良い。また、投影光学系ＰＬとして、例えば米国特許第６，６３６，３５０号公報，米国特許第６，８７３，４７６号公報，及び米国特許出願公開第２００４／０１６０６６６号公報に開示されているタイプの反射屈折系を用いることもできる。
【００３５】
投影光学系ＰＬの複数のレンズのうち、特定の複数のレンズは、主制御装置５０からの指令に基づいて、結像特性補正コントローラ１６０によって制御され、投影光学系ＰＬの光学特性（結像特性を含む）、例えば、倍率、ディストーション、コマ収差、及び像面湾曲（像面傾斜を含む）などを調整できる。
【００３６】
また、本第１の実施形態の露光装置１０では、図２に示されるように、投影光学系ＰＬの最も像面（ウエハＷ）に近いレンズ（以下、「先端レンズ」ともいう）１９１、及びその下側に設けられた投影光学系ＰＬの一部を構成する光学部材である平行平板１９３の近傍には、液浸装置１３２の一部を構成するノズル部材７０が設けられている。平行平板１９３は、鏡筒２４０により不図示のシール部材等を使って保持されている。このシール部材により、平行平板の上下に独立した空間が形成され（後述する第１空間Ｋ１、第２空間Ｋ２）、両空間の間の液体の流通が阻止されている。なお、平行平板１９３は、鏡筒２４０に対して容易に取り付け・取り外しが可能されている。
【００３７】
前記液浸装置１３２は、図２に示されるように、前記ノズル部材７０と、該ノズル部材７０に接続された第１液体供給装置２１１及び第１液体回収装置２２１と、投影ユニットＰＵの鏡筒２４０の最下端近傍に接続された第２液体供給装置２３１及び第２液体回収装置２４１と、を少なくとも備えている。
【００３８】
なお、前記ノズル部材７０は、投影ユニットＰＵを保持する不図示のメインコラムに保持されている。ノズル部材７０の詳細については後に更に詳述する。
【００３９】
前記第１液体供給装置２１１は、液体ＬＱ１を投影光学系ＰＬの平行平板１９３の下面側に形成された第１空間Ｋ１に供給するためのものであり、供給管２１３を介してノズル部材７０の一部に接続されている。この第１液体供給装置２１１は、液体ＬＱ１を収容するタンク、供給する液体ＬＱ１の温度を調整する温度調整装置、液体ＬＱ１中の異物を除去するフィルタ装置、及び加圧ポンプ、流量制御弁等を含んで構成されている。なお、露光装置１０の第１液体供給装置２１１に、タンク、温度調整装置、フィルタ装置、加圧ポンプ、流量制御弁などの全てを設けずに、それらの少なくとも一部を露光装置１０が設置される工場などの設備で代用しても良い。
【００４０】
前記第１液体回収装置２２１は、平行平板１９３の下面側に形成された第１空間Ｋ１に供給された液体ＬＱ１を回収するためのものであり、回収管２２３を介してノズル部材７０の一部に接続されている。この第１液体回収装置２２１は例えば真空ポンプ等の真空系（吸引装置）、回収された液体ＬＱ１と気体とを分離する気液分離器、及び回収した液体ＬＱ１を収容するタンク、流量制御バルブ等を備えている。なお真空系、気液分離器、タンク、流量制御バルブなどの全てを露光装置１０に設けずに、それらの少なくとも一部を露光装置１０が配置される工場の設備で代用しても良い。
【００４１】
前記第２液体供給装置２３１は、液体ＬＱ２を投影光学系ＰＬの平行平板の上面側に形成された第２空間Ｋ２に供給するためのものであり、供給管２３３を介して鏡筒２４０の一部に接続されている。第２液体供給装置２３１は、液体ＬＱ２を収容するタンク、供給する液体ＬＱ２の温度を調整する温度調整装置、液体ＬＱ２中の異物を除去するフィルタ装置、及び加圧ポンプ等を備えている。なお、露光装置１０の第２液体供給装置２３１に、タンク、温度調整装置、フィルタ装置、加圧ポンプの全てを設けずに、それらの少なくとも一部を露光装置１０が設置される工場などの設備で代用しても良い。
【００４２】
前記第２液体回収装置２４１は、平行平板１９３の上面側に形成された第２空間Ｋ２に供給された液体ＬＱ２を回収するためのものであり、回収管２４３を介して鏡筒２４０の一部に接続されている。第２液体回収装置２４１は例えば真空ポンプ等の真空系（吸引装置）、回収された液体ＬＱ２と気体とを分離する気液分離器、及び回収した液体ＬＱ２を収容するタンク等を備えている。なお、真空系、気液分離器、タンクなどの全てを露光装置１０に真空ポンプを設けずに、露光装置１０が配置される工場等の設備で代用しても良い。
【００４３】
前記ノズル部材７０は、図２及びノズル部材７０を−Ｚ側から見た状態を示す図３から分かるように、投影光学系ＰＬの下端部の近傍に配置されており、ウエハＷ（ウエハステージＷＳＴ）の上方において鏡筒２４０の周囲を取り囲むように設けられた環状部材である。ノズル部材７０は、その中央部にＺ方向に貫通した穴部７０ｂが形成され、該穴部７０ｂに投影ユニットＰＵの鏡筒２４０の下端部が挿入されている。
【００４４】
ウエハＷに対向するノズル部材７０の下面中央部には、Ｘ軸方向を長手方向とする凹部２７８が形成されており、この凹部２７８の一部には、第１供給口２１２ａ，２１２ｂが形成されている。これら２つの第１供給口２１２ａ，２１２ｂは、平行平板１９３を挟んでＹ軸に関し左右対称な位置に形成されている。ノズル部材７０には、第１供給流路２１４が形成されており、第１供給口２１２ａ，２１２ｂは、第１供給流路２１３の一端部にそれぞれ接続されている。そして、第１供給流路２１４の他端部には、前述した供給管２１３が接続されており、第１液体供給装置２１１から送出された液体ＬＱ１が、第１供給流路２１４を介して、各第１供給口２１２ａ，２１２ｂから、投影光学系ＰＬの像面側に配置されたウエハＷ表面と略平行、すなわちＸＹ平面と略平行に（横方向に）噴き出される。
【００４５】
ノズル部材７０の下面には第１回収口２２２が形成されている。第１回収口２２２は、照射領域ＩＡを囲むように環状に形成されており（図３参照）、その内部には多孔体２２２Ｐが設けられている。この第１回収口２２２は、ノズル部材７０内部に形成された第１回収流路２２４の一端部に接続され、第１回収流路２２４の他端部には、前述した回収管２２３が接続されている。
【００４６】
第１液体供給装置２１１の液体供給動作及び第１液体回収装置２２１の液体回収動作は、主制御装置５０により制御される（図５参照）。すなわち、主制御装置５０は、液浸領域を形成するために、第１液体供給装置２１１より液体ＬＱ１を送出し、第１液体供給装置２１１より送出された液体ＬＱ１は、供給管２１３及び第１供給流路２１４を介して第１供給口２１２ａ、２１２ｂより、平行平板１９３とウエハＷとの間の第１空間Ｋ１に供給される。また、ウエハＷ上の液体ＬＱ１は、そのウエハＷの上方に設けられている第１回収口２２２、第１回収流路２２４、及び回収管２２３を介して第１液体回収装置２２１に吸引回収される。
【００４７】
投影ユニットＰＵの一部を構成する鏡筒２４０の内部には、図２に示されるように、第２供給流路２３４と、第２回収流路２４４が形成されている。これら第２供給流路２３４及び第２回収流路２４４は、鏡筒２４０の外部と内部とに端部を有しており、その内部の端部が第２供給口２３２、第２回収口２３４とされている。また、その外部の端部には、前述した供給管２３３、回収管２４３の一端部がそれぞれ接続されている。
【００４８】
前記第２供給口２３２は、鏡筒２４０の内面の第２空間Ｋ２の近傍位置に形成されており、投影光学系ＰＬの光軸ＡＸに対して＋Ｙ側に位置する。この第２供給口２３２は、第２液体供給装置２３１から送出された液体ＬＱ２を、平行平板１９３の上面と略平行、すなわちＸＹ平面と略平行に（横方向に）噴き出す。
【００４９】
また、前記第２回収口２４２は、投影光学系ＰＬの光軸ＡＸに対して−Ｙ側に位置し、第２供給口２３２に対向する位置に形成されている。
【００５０】
第２液体供給装置２３１の液体供給動作及び第２液体回収装置２４１の液体回収動作は、主制御装置５０により制御される（図５参照）。主制御装置５０が、第２液体供給装置２３１より液体ＬＱ２を送出すると、その第２液体供給装置２３１より送出された液体ＬＱ２は、供給管２３３、第２供給流路２３４及び第２供給口２３２を介して、先端レンズ１９１と平行平板１９３との間の第２空間Ｋ２に供給される。また、第２空間Ｋ２の液体ＬＱ２は、第２回収口２４２、第２回収流路２４４及び回収管２４３を介して第２液体回収装置２４１へ吸引回収される。
【００５１】
なお、液浸機構１３２（ノズル部材７０、液体供給装置２１１，２３１、液体回収装置２２１，２４１など）の構造及び配置は、上述のものに限られず、照明光ＩＬの光路中の所定空間を液体で満たすことができれば、いろいろな形態の液浸機構を適用することができる。
【００５２】
更に、鏡筒２４０の液体ＬＱ２と接する部分には、液体ＬＱ２の温度を計測するための温度センサＳＲが設けられている。この温度センサＳＲの計測結果は、主制御装置５０に出力される（図５参照）。
【００５３】
図１に戻り、投影ユニットＰＵの＋Ｙ側には、ウエハＷ上のアライメントマークなどの検出対象マークを光学的に検出するオフアクシス・アライメント系（以下、「アライメント系」と略述する）ＡＬＧが設けられている。なお、アライメント系ＡＬＧとしては、各種方式のセンサを用いることができるが、本第１の実施形態においては、画像処理方式のセンサが用いられている。なお、画像処理方式のセンサは、例えば特開平４−６５６０３号公報に開示されており、ここでは詳細説明を省略する。アライメント系ＡＬＧからの撮像信号は、主制御装置５０に供給される（図５参照）。
【００５４】
前記ステージ装置１５０は、図１に示されるように、不図示のベース盤と、該ベース盤の上方に非接触で支持されたウエハステージＷＳＴ及び計測ステージＭＳＴと、これらのステージＷＳＴ、ＭＳＴの位置を計測する干渉計システム１１８（図５参照）と、リニアモータ等を使ってステージＷＳＴ、ＭＳＴを駆動するステージ駆動系１２４（図５参照）と、を備えている。
【００５５】
また、ステージＷＳＴ、ＭＳＴのそれぞれは、ステージ駆動系１２４（図５参照）によって、ＸＹ面内で互いに独立して駆動（θｚ回転を含む）される。ウエハステージＷＳＴ、及び計測ステージＭＳＴのステージ移動面（ＸＹ平面）内の位置、及び各座標軸回りの回転位置は、干渉計システム１１８により検出される。干渉計システム１１８の計測値は、主制御装置５０に送られ、主制御装置５０は、干渉計システム１１８の計測値に基づいてステージ駆動系１２４を介してウエハステージＷＳＴ、及び計測ステージＭＳＴの位置（及び速度）を制御する（図５参照）。
【００５６】
ウエハステージＷＳＴ上には、不図示の真空吸着機構などを使ってウエハＷが保持されている。また、計測ステージＭＳＴ上にはプレート部材１０１が保持されている。プレート部材１０１は、計測ステージＭＳＴの平面図である図４に示されるように、Ｙ軸方向を長手方向とする長方形の開口１０１ａ、Ｘ軸方向を長手方向とする長方形の開口１０１ｂと、３つの円形開口１０１ｄ，１０１ｅ，１０１ｆとが形成されている。
【００５７】
プレート部材１０１の開口１０１ａの内部には、図４に示されるように、基準マーク板ＦＭが配置されている。基準マーク板ＦＭの上面はプレート部材１０１表面とほぼ同じ高さ（面一）に設定されている。この基準マーク板ＦＭの表面には、前述の一対のレチクルアライメント検出系ＲＡａ，ＲＡｂによって同時計測が可能な一対の第１基準マークＲＭ11，ＲＭ12と、アライメント系ＡＬＧにより検出される第２基準マークＷＭとが所定の位置関係で形成されている。
【００５８】
プレート部材１０１の開口１０１ｂ下方には、照度モニタ（照射量モニタ）１２２が配置されている。この照度モニタ１２２は、照射領域ＩＡに照射された照明光ＩＬのほぼ全部を受光できる程度の所定面積の受光面を有し、照明光ＩＬと同じ波長域（例えば波長３００ｎｍ〜１００ｎｍ程度）に対して感度があり、且つ照明光ＩＬを検出するために高い応答周波数を有する複数のシリコン・フォト・ダイオード（又はフォト・マルチプライア・チューブ）などの受光素子群を含んでいる。
【００５９】
本第１の実施形態の照度モニタ１２２は、例えば特開平６−２９１０１６号公報（対応する米国特許第５，７２１，６０８号）などに開示される照度モニタ（照射量モニタ）と同様の構成を有しており、投影光学系ＰＬの像面上で液体ＬＱ２，ＬＱ１を介して照明光ＩＬの照度を計測する。照度モニタ１２２の少なくとも一部を構成する光センサ１２８の検出信号（光電変換信号）が不図示のホールド回路、及びアナログ／デジタル（Ａ／Ｄ）変換器などを介して主制御装置５０に供給されている（図５参照）。
【００６０】
プレート部材１０１の開口１０１ｄの内部には、平面視円形のパターン板１０３を有する照度むら計測器１０４が配置されている。照度むら計測器１０４は、パターン板１０３の下方に配置された不図示の受光素子（前述のシリコン・フォト・ダイオードあるいはフォト・マルチプライア・チューブなど）などから成るセンサとを有している。パターン板１０３は、前述のガラス部材１２６と同様に石英ガラスなどから成り、その表面にクロムなどの遮光膜が成膜され、該遮光膜の中央に光透過部としてピンホール１０３ａが形成されている。
【００６１】
上述の照度むら計測器１０４は、特開昭５７−１１７２３８号公報（対応する米国特許第４，４６５，３６８号）などに開示される照度むら計測器と同様の構成を有しており、投影光学系ＰＬの像面上で液体ＬＱ２，ＬＱ１を介して照明光ＩＬの照度むらを計測する。そして、照度むら計測器の少なくとも一部を構成するセンサの検出信号（光電変換信号）が不図示のホールド回路、及びアナログ／デジタル（Ａ／Ｄ）変換器などを介して主制御装置５０に供給されている（図５参照）。
【００６２】
前記プレート部材１０１の開口１０１ｅの内部には、平面視円形のスリット板１０５が、その表面がプレート部材１０１表面とほぼ同一面（面一）となる状態で配置されている。スリット板１０５は、前述のパターン板１０３と同様に、石英ガラスと、該石英ガラスの表面に形成されたクロムなどの遮光膜とを有し、該遮光膜の所定箇所にＸ軸方向、Ｙ軸方向に伸びるスリットパターンが光透過部として形成されている。このスリット板１０５は、投影光学系ＰＬにより投影されるパターンの空間像（投影像）の光強度を計測する空間像計測器の一部を構成するものである。本第１の実施形態では、このスリット板１０５の下方には、投影光学系ＰＬ及び液体ＬＱ２，ＬＱ１を介してプレート部材１０１に照射される照明光ＩＬを、前記スリットパターンを介して受光する受光系が設けられている。スリット板１０５及び受光系は、例えば特開２００２−１４００５号公報（対応する米国特許出願公開第２００２／００４１３７７号明細書）などに開示される空間像計測器と同様の空間像計測器１２５の少なくとも一部を構成する。
【００６３】
プレート部材１０１の開口１０１ｆの内部には、平面視円形の波面収差計測用パターン板１０７が、その表面がプレート部材１０１表面とほぼ同一面（面一）となる状態で配置されている。この波面収差計測用パターン板１０７は、前述のパターン板１０３と同様に、石英ガラスと、該石英ガラスの表面に形成されたクロムなどの遮光膜とを有し、該遮光膜の中央に円形の開口が形成されている。この波面収差計測用パターン板１０７の下方には、投影光学系ＰＬ及び液体ＬＱ２，ＬＱ１を介して照明光ＩＬを受光する例えばマイクロレンズアレイを含む受光系が設けられている。パターン板１０７及び受光系は、例えば国際公開第９９／６０３６１号パンフレット（対応する欧州特許第１，０７９，２２３号明細書）などに開示される波面収差計測器１２７の少なくとも一部を構成する。
【００６４】
なお、熱の影響を抑制する観点から、上記の空間像計測器１２５や波面収差計測器１２７などでは、例えば光学系などの一部だけが計測ステージＭＳＴに搭載されていても良い。
【００６５】
図５には、露光装置１０の制御系の主要な構成が示されている。この制御系は、装置全体を統括的に制御するマイクロコンピュータ（又はワークステーション）から成る主制御装置５０を含んでいる。
【００６６】
上述のようにして構成された本第１の実施形態の露光装置１０では、液浸法を適用しない通常のスキャニング・ステッパと同様に、レチクルアライメント検出系ＲＡａ，ＲＡｂ、アライメント系ＡＬＧ等を用いた、各種アライメント処理などの所定の準備作業が行われた後、ステップ・アンド・スキャン方式の露光動作が行われ、ウエハＷ上の各ショット領域にレチクルＲのパターンが転写される。なお、これらの各動作は、前述したようにして液体ＬＱ２を平行平板１９３と先端レンズ１９１との間（空間Ｋ２内）に保持し、かつ平行平板１９３とウエハＷとの間の空間（Ｋ１）に液体ＬＱ１を保持した状態で、アライメント処理の一部及び露光動作が行われる点を除き、通常のスキャニング・ステッパの場合と大きく異なる点はないので、詳細説明については省略する。なお、平行平板１９３の下側の第１空間Ｋ１を液体ＬＱ１で満たしている間、主制御装置５０は、第１液体供給装置２１１から供給しつつ、第１液体回収装置２２１によって回収しているので、例えば、ウエハＷの露光中に、平行平板１９３とウエハＷとの間の空間（Ｋ１）の液体は常時交換される（入れ替えられる）。なお、上述したように、照明光ＩＬが投影光学系ＰＬ及び液体ＬＱ１、ＬＱ２を介してウエハＷに照射されるので、以下においては、投影光学系ＰＬと液体ＬＱ１，ＬＱ２とを含んで、液体を含む光学系ＰＬＬと呼ぶものとする。
【００６７】
液浸露光装置においては、照明光ＩＬの照射により、光路中の液体の温度が上昇し、液体を含む光学系の光学特性（収差等）が変動する可能性がある。一方、第１実施形態においては、第２液体供給装置２３１と第２液体回収装置２４１とを動作させて、第２空間Ｋ２内の液体ＬＱ２の交換（入れ替え）を実行すると、液体ＬＱ２と接触する先端レンズ１９１が振動して、光学系ＰＬＬの光学特性に影響を及ぼす可能性がある。従って、本第１の実施形態においては、レチクルアライメント系ＲＡａ、ＲＡｂなどの検出光や照明光ＩＬが液体ＬＱ２を通過しない以下に説明するタイミングで液体ＬＱ２を交換することとしている。
【００６８】
まず、本第１の実施形態では、液体ＬＱ２の温度を温度センサＳＲにより計測し、主制御装置５０に出力しているので、主制御装置５０は、温度センサＳＲからの出力に基づいて求められる、液体の温度の初期状態からの変動量が所定の閾値を超えた段階を液体の交換タイミングとする。すなわち、液体の交換を判断する判断対象として液体の温度変化量、を採用し、所定の条件として所定の閾値を超えること、を採用する。なお、ここでの初期状態とは、液体ＬＱ２を初めて供給した直後の状態、あるいは液体交換の直後の状態を意味するものとする。
【００６９】
なお、液体ＬＱ２の温度変化量が所定の閾値を超えたときに、第２液体供給装置２３１と第２液体回収装置２４１とを動作させて、すぐに液体ＬＱ２を交換しても良いが、液体ＬＱ２の温度が所定の閾値を超えた後、液体ＬＱ２を交換せずに、光学系ＰＬＬの光学特性を所定の許容範囲内に維持した状態で、実行中の露光動作などを、しばらくの間、継続できるように閾値を定めてもよい。本第１の実施形態においては、１枚のウエハに対する露光の途中で例えば、液体ＬＱ２の温度変化量が所定の閾値を超えて、液体の交換タイミングになったとしても、露光動作を中断して液体を交換するのではなく、所定の閾値を超えたときにウエハステージＷＳＴ上に載置されているウエハに対して露光動作が終了した後で、液体ＬＱ２を交換するものとする。
【００７０】
上述のように液体ＬＱ２を交換すると、液体（ＬＱ２）の温度が変化（低下）するために、液体ＬＱ２を含む光学系ＰＬＬの光学特性を正確に把握できなかったり、光学系ＰＬＬの光学特性が所定状態を維持できない場合がある。従って、本実施形態では、主制御装置５０は、液体ＬＱ２を交換した後で、露光動作などを開始する前に、以下の（ａ）、（ｂ）の少なくとも一方の処理を行うこととしている。
【００７１】
（ａ）光学系ＰＬＬの光学特性の計測を行う
液体ＬＱ２の温度の変化により変化した光学特性を、空間像計測器１２５及び／又は波面収差計測器１２７を用いて計測し、該計測結果を考慮して、以降の露光動作などを行う。この場合において計測結果を考慮するとは、例えば、結像特性補正コントローラ１６０を用いて、投影光学系ＰＬのレンズの位置などを調整したり、投影光学系ＰＬの少なくとも１つの光学素子の近傍にペルチェ素子やヒータ、赤外光照射装置などを設け、それらの装置により光学素子の温度分布を変更したり、照明光ＩＬの波長を微調整することにより、光学特性を調整することなどが該当する。
（ｂ）液体ＬＱ２の温度を所定温度にする
液体ＬＱ２の温度が所定の温度になった後に露光動作などを開始する。例えば、液体が所定の温度になるまで所定時間待機したり、あるいは、ウエハＷが露光されない状態で照明光ＩＬを照射し、液体の温度を上昇させる。あるいは、液体の温度を調整するためのペルチェ素子やヒータ、赤外光照射装置などを鏡筒２４０の下端部近傍に設け、これらにより液体の温度を所定の温度に調整する。この場合、液体ＬＱ２の温度を計測する温度センサＳＲの計測結果に基づいて、液体ＬＱ２の温度が所定の温度になったことを検知して、露光動作などを開始することができる。
【００７２】
このようにすることにより、液体ＬＱ２の交換に起因して液体の温度が変化した場合にも、その変化による影響を上記（ａ）及び／又は（ｂ）の処理により低減した状態で、露光動作などを開始するので、高精度な露光を実現することが可能である。
【００７３】
なお、上述の説明においては、温度センサＳＲの出力が所定の閾値を超えた場合に液体ＬＱ２を交換しているが、これに限らず、その他の液体の物性値（例えば以下に示す（１）及び（２）の実測値）に基づいて液体交換のタイミングを決定することとしても良い。
【００７４】
（１）温度分布
例えば、温度センサを第２空間Ｋ２内の複数箇所に設け、各温度センサの値に基づいて液体の温度分布を算出し、該温度分布が所定の状態になったときを、液体ＬＱ２の交換タイミングとすることとしても良い。この場合、複数の温度センサの出力のうちの最高温度と最低温度との差を算出し、その温度差が所定値以上になったときを、液体ＬＱ２の交換タイミングとすることとしても良い。
【００７５】
（２）液体ＬＱ２の透過率
露光動作の合間に照度むら計測器１０４を使って求められる、照明光ＩＬに対する液体ＬＱ２を含む光学系ＰＬＬの透過率が所定状態（所定の閾値以下）となったときを液体ＬＱ２の交換タイミングとしても良い。液体ＬＱ２の透過率は例えば液体ＬＱ２中の溶存酸素濃度に依存するため、液体ＬＱ２に酸素が溶け込むことによって、液体ＬＱ２の透過率が低下する可能性がある。
【００７６】
液体ＬＱ２の透過率が低下すると、液体ＬＱ２による照明光の吸収（エネルギ吸収）量の増加に伴って液体ＬＱ２の温度が上昇し、液体ＬＱ２を含む光学系ＰＬＬの光学特性を劣化させる可能性がある。また、液体ＬＱ２の透過率が低下すると、ウエハＷに照射される照明光ＩＬの光量（パルス強度）が低下するため、ウエハＷの露光に要する時間が増加する可能性もある。従って、液体ＬＱ２を含む光学系ＰＬＬの透過率の計測値に基づいて液体ＬＱ２の交換タイミングを決定することで、これらの不都合を回避することができる。なお、光学系ＰＬＬに含まれる光学素子の透過率が変化する場合には、照度むら計測器１０４を使って計測される液体ＬＱ２を含む光学系ＰＬＬの透過率から液体ＬＱ２のみの透過率変化量を求めて、液体ＬＱ２の交換タイミングを決めても良い。また、液体ＬＱ２を含む光学系ＰＬＬの透過率計測は、照度モニタ１２２などの他のセンサを使って計測しても良い。
【００７７】
なお、上述したように、液体の透過率は液体中の溶存酸素濃度に依存するため、第２空間Ｋ２に液体ＬＱ２の溶存酸素濃度を計測する酸素濃度計を配置して、液体ＬＱ２の溶存酸素濃度が所定の状態（所定の閾値以上）になったときを、液体ＬＱ２の交換タイミングとしても良い。
【００７８】
また、上述の実施形態においては、液体ＬＱ２の交換直後に、液体ＬＱ２を含む光学系ＰＬＬの光学特性を空間像計測器１２５及び／又は波面収差測定器１２７を用いて計測し、その計測結果を考慮して、その後の露光動作などを実行するようにしているが、空間像計測器１２５の計測に代えて、あるいは加えて照度モニタ１２２、照度むら計測器１０４の少なくとも一つを用いた計測を実行するようにしても良い。また、その計測結果を考慮して、照明光ＩＬの強度やウエハステージＷＳＴの移動条件などの露光条件を調整するようにしても良い。
【００７９】
以上、詳細に説明したように、本第１の実施形態の露光装置によると、主制御装置５０が第２液体供給装置２３１と第２液体回収装置２４１とによる液体ＬＱ２の交換を、所定の判断対象（液体の温度）が所定条件を満たした場合（所定温度以上になった場合）に実行することとしているので、液体ＬＱ２の交換が適切なタイミングで行われることにより、液体ＬＱ２の温度上昇等による露光精度の低下を許容範囲内に抑えることが可能である。また、適切なタイミングで液体交換が行なわれるので、装置のダウンタイムを低減することも可能である。
【００８０】
また、本第１の実施形態では、液体ＬＱ２の物性に基づいて、液体交換タイミングを決定しているので、液体の変化に依存して変動する露光精度の低下を確実に抑制することが可能である。
【００８１】
更に、本第１の実施形態では、液体ＬＱ２の交換の際に液体の温度が変化（低下）した場合であっても、その変化による液体を含む光学系の光学特性の変化の影響を低減した状態で、露光動作を開始することとしているので、高精度な露光を実現することが可能である。
【００８２】
なお、上述の第１の実施形態においては、液体ＬＱ２を交換した後に、上述の（ａ），（ｂ）の少なくとも一方の動作を実行しているが、液体ＬＱ２の交換直後であっても、液体ＬＱ２を含む光学系ＰＬＬの光学特性を所定の許容範囲内で確保できる場合には、上述の（ａ），（ｂ）の動作の少なくとも一方を省いても良い。
【００８３】
なお、上述の第１実施形態においては、液体ＬＱ２の物性として、液体ＬＱ２の温度、温度分布、透過率を挙げているが、これに限らず、液体ＬＱ２のＴＯＣ（Total Organic Carbon(TOC) or Total Oxidizable Carbon）や、比抵抗値などの他の物性に基づいて液体ＬＱ２の交換タイミングを決定しても良い。また、液体ＬＱ２の複数の物性に基づいて液体ＬＱ２の交換タイミングを決定しても良い。
【００８４】
また、上述の第１実施形態においては、液体ＬＱ２の物性（温度、透過率など）に基づいて液体ＬＱ２の交換タイミングを決定しているが、これに限らず、液体ＬＱ２を含む光学系ＰＬＬの光学特性が所定状態になったときを液体ＬＱ２の交換タイミングとして決定しても良い。例えば、照度むら計測器１０４、照度モニタ１２２、空間像計測器１２５、波面収差計測器１２７の少なくとも一つを使って、液体ＬＱ２を含む光学系ＰＬＬの光学特性を計測し、その計測結果に基づいて液体ＬＱ２の交換タイミングを決定しても良い。
【００８５】
また、液体ＬＱ２の物性と光学系ＰＬＬの光学特性とに基づいて液体ＬＱ２の交換タイミングを決定しても良い。
【００８６】
なお、上記実施形態では、液体の温度に基づいて、あるいは液体の温度分布、光学系の光学特性、光学系における照明光ＩＬの透過率などの実測値（直接的に求められた値）に基づいて、液体ＬＱ２の交換タイミングを決定することとしたが、これに限らず、実測値から間接的に求められる予測値に基づいて、液体ＬＱ２の交換タイミングを決定することとしても良い。
【００８７】
例えば、照度むら計測器１０４（及びインテグレータセンサ４６、反射量モニタ４７）により計測される液体を含む光学系ＰＬＬにおける照明光ＩＬの透過率に基づいて算出される制御量（例えば、ウエハＷ上の１ショットを露光する際のウエハＷの走査速度や、照明光の強度、照明光の照射時間など）を判断対象とし、該制御量が所定量以上（または以下）になった時点を、液体ＬＱ２の交換タイミングとすることもできる。
【００８８】
また、主制御装置５０により、インテグレータセンサ４６の計測値と反射量モニタ４７の計測値とに基づいて算出される光学系ＰＬＬの収差変動量を判断対象とし、該収差変動量が所定量以上となった時点を、液体ＬＱ２の交換タイミングとすることもできる。この場合、例えば、インテグレータセンサ４６の計測値と反射量モニタ４７の計測値とをパラメータとして含み、液体ＬＱ２の照明光ＩＬの吸収（エネルギ吸収）に起因する液体ＬＱ２を含む光学系ＰＬＬの光学特性の変動（収差変動）を予測するモデル式をメモリ５１に格納しておき、そのモデル式を使って予測された液体ＬＱ２を含む光学系ＰＬＬの光学特性の変動量に基づいて液体ＬＱ２の交換タイミングを決定しても良い。
【００８９】
また、上述したように、第２空間Ｋ２に液体ＬＱ２の溶存酸素濃度を計測する酸素濃度計が配置されている場合には、照明光ＩＬに対する液体ＬＱ２の透過率と液体ＬＱ２の溶存酸素濃度との関係をメモリ５１に格納しておき、酸素濃度計の計測値に基づいて液体ＬＱ２の透過率を求めて、その透過率に基づいて液体ＬＱ２の交換タイミングを決めても良い。
【００９０】
ただし、いずれの場合においても、上述した第１の実施形態と同様に、１枚のウエハに対する露光が途中の段階にある場合には、液体交換をすぐに行わずに、１枚のウエハに対する露光動作が終了した後に、液体交換を行うこととすることが望ましい。
【００９１】
更に、判断対象として所定の動作が行われるタイミングを採用することもできる。
【００９２】
例えば、ウエハＷ上のあるショット領域の露光と次のショット領域の露光との間に行われるステッピング動作を液体の交換タイミングとすることもできる。また、照明条件の切り替え動作（すなわち、例えば、照明光学系１２内のエネルギ粗調器２０の回転板（レボルバ）３４を回転したり、あるいは、照明系開口絞り板２４の開口絞りを変更したりする動作など）を液体交換タイミングとすることもできる。
【００９３】
前者の場合、液体の交換に伴って、例えば先端レンズ１９１に振動が発生しても、ステッピング期間中であるので、その振動が露光精度に影響するのを回避することができる。また後者の場合、比較的長い時間を要する照明条件の切り替え動作中に液体交換をでき、別途液体交換のための時間をとる必要がなく、露光装置のダウンタイムを低減することができる。
【００９４】
更には、判断対象としてウエハ交換動作や、ロット交換動作、あるいは光源のレーザガスの交換動作などのメンテナンス動作を液体交換タイミングに設定することも可能である。また、上述の各動作の少なくとも一つが所定回数以上行われたときに液体ＬＱ２を交換するようにしても良い。
【００９５】
また、上述した種々の交換タイミングを決定するための判断対象は、１種類のみを採用する場合に限らず、２種類以上の判断対象を併用することも可能である。この場合、２種類以上の判断対象の少なくとも１種類が対応する条件を満たした場合に液体を交換することとしても良いし、少なくとも所定種類以上の判断対象がそれぞれに対応する条件を満たした場合に液体を交換することとしても良いし、全種類の判断対象がそれぞれに対応する条件を満たした場合に液体を交換することとしても良い。
【００９６】
また、第１回目の液体の交換タイミングを所定の判断対象、例えば液体の物性（液体の温度など）の実測値を用いて決定し、その交換タイミングまでに露光したウエハの枚数や、その交換タイミングまでに要した時間などをメモリ５１に記憶しておき、第２回目以降は、メモリ５１に記憶されている第１回目の交換タイミングまでに露光したウエハと同数のウエハを露光した時点で、または第１回目の交換タイミングまでに要した時間と同一の時間が経過した時点で、液体の交換を行うこととしても良い。要は、所定の判断対象の実測値を用いて交換タイミングを決定し、その後は、所定の判断対象がその実測値になると予想される時点で液体を交換するようにすることとしても良い。
【００９７】
なお、上記液体の交換は、先端レンズ１９１と平行平板１９３との間にある液体全てを一度の交換タイミングで交換しなくても良い。すなわち、１度の交換タイミングで液体の一部を交換し、複数回の交換によって液体全てを交換することとしても良い。要は、液体交換が露光装置のスループットを低下させることが無いよう、液体交換動作を複数回に分割して行なうこととしても良い。
【００９８】
なお、上記第１の実施形態では、平行平板１９３とウエハＷとの間の液体ＬＱ１は、露光動作中も常時交換することとしたが、液体ＬＱ１を常時交換しなくても良い。この場合、液体ＬＱ１の交換タイミングを、上記実施形態の液体ＬＱ２と同様にして決定することとしても良い。この場合、液体ＬＱ１の交換と液体ＬＱ２の交換の少なくとも一部を同時に実行することが望ましいが、各液体の交換を異なるタイミングで実行しても良い。液体ＬＱ１と液体ＬＱ２とで、液体の交換条件が同じであっても良いし、異なっていても良い。液体ＬＱ１と液体ＬＱ２とで、液体の交換条件が異なる場合には、液体ＬＱ１と液体ＬＱ２とで、交換タイミングを判断するための判断対象が異なっていても良いし、同一の判断対象に関して異なる閾値を設定しても良い。
【００９９】
《第２の実施形態》
次に、本発明の第２の実施形態について、図６に基づいて説明する。ここで、前述した第１の実施形態と同一若しくは同等の部分については、同一の符号を用いるとともにその説明を簡略にし、若しくは省略するものとする。この第２の実施形態の露光装置では、露光装置の構成等は同様となっている。従って、以下では重複説明を避ける観点から相違点を中心として説明する。
【０１００】
ここで、上述した第１の実施形態では、液体ＬＱ２の交換タイミングのみを最適化した場合について説明したが、本第２の実施形態では、液体ＬＱ２の交換タイミングとともに、収差等の光学特性計測タイミングをも最適化している点が異なっている。
【０１０１】
図６には、本第２の実施形態の光学特性計測及び液体交換シーケンスがフローチャートにて示されている。なお、実際には、この光学特性計測及び液体交換シーケンスとは別に、通常の露光シーケンスが並行して実行されている。
【０１０２】
なお、本実施形態では、前提として、光学特性計測のタイミングを決定する第１の判断対象及び液体交換のタイミングを決定する第２の判断対象のいずれも、液体ＬＱ２の初期状態からの温度変化量とされ、光学特性計測のタイミングを決定する第１の条件（液体の温度変化の第１の閾値）と液体交換のタイミングを決定する第２の条件（液体の温度変化の第２の閾値）とは、第１の閾値の方が第２の閾値よりも小さいものとする。
【０１０３】
まず、図６のステップ５０１において、投影ユニットＰＵ内に設けられた温度センサＳＲによって計測される液体ＬＱ２の温度の初期状態からの変化量が、第１の閾値以上か否かが判断される。この判断がされている間も、図６のシーケンスと並行して行われている露光シーケンスにおいて露光動作が繰り返し行われている。そして、ここでの判断が否定された場合には、露光動作が継続されるとともに、所定の間隔でステップ５０１の動作が行われる。また、ここでの判断が肯定された段階で次のステップ５０３に移行する。
【０１０４】
次のステップ５０３では、図６のシーケンスと並行して行われている露光シーケンスにおいて、ウエハステージＷＳＴ上に載置されているウエハ上の全ショット領域に対する露光が全て終了したか否かが判断される。ここでの判断が否定された場合には、ウエハ上のショット領域に対する露光動作が続けられる。ここでの判断が肯定された段階、すなわち、露光シーケンスにおいてウエハステージＷＳＴ上のウエハに対する露光が終了した段階で、次のステップ５０５に移行する。
【０１０５】
次のステップ５０５では、液体ＬＱ２の温度が、第２の閾値以上か否かが判断される。ここでの判断が否定されると（すなわち、第１の閾値≦液体の温度≦第２の閾値）、ステップ５０７に移行し、光学系の光学特性の計測動作が実行される。この場合の計測動作は、前述した第１の実施形態と同様に空間像計測器１２５を用いて行われる。
【０１０６】
次いで、ステップ５０９では、投影光学系ＰＬの調整が、ステップ５０７での計測結果に基づいて、前述した結像特性補正コントローラ１６０を用いて行われる。すなわち、ステップ５０９では、液体ＬＱ２の初期状態からの温度変化に起因する液体ＬＱ２を含む光学系ＰＬＬの光学特性の変動が調整（補正）される。
【０１０７】
一方、ステップ５０５における判断が肯定された場合（すなわち、第２の閾値≦液体の温度）には、液体ＬＱ２の交換が第１の実施形態と同様、第２液体供給装置２３１、第２液体回収装置２４１を介して行われる。
【０１０８】
その後、ステップ５１３において、図６のシーケンスと並行して行われている所定枚数のウエハに対する露光シーケンスの全ての工程が終了したか否かが判断され、ここでの判断が否定された場合にはステップ５０１に戻り、これまでと同様の処理・判断が繰り返し行われる。一方、判断が肯定された場合には図６のシーケンスを終了する。
【０１０９】
以上説明したように、本第２の実施形態の露光装置によると、空間像計測器１２５による光学系の光学特性の計測動作が、主制御装置５０により、液体に関する第１の判断対象（本実施形態では液体の温度）が第１の条件（第１の閾値以上）を満たした場合に行なわれるように制御されるので、光学特性の計測が適切なタイミングで行われ、液体の温度上昇等に起因する光学系の光学特性を、露光精度に影響を与えるほど悪化する以前に計測することが可能である。従って、この計測結果を考慮して露光を行うことにより、露光精度を精度良く維持することが可能となる。また、計測を適切なタイミングで行うことにより、装置のダウンタイムの低減を図ることが可能である。
【０１１０】
また、上記計測動作と併せて、液体ＬＱ２に関する第２の判断対象（本実施形態では液体の温度）が第２の条件（第２の閾値以上）を満たした場合に、主制御装置５０により、液体ＬＱ２の交換が実行されるので、液体ＬＱ２の温度上昇などに起因して液体ＬＱ２を含む光学系ＰＬＬの光学特性が、結像特性補正コントローラ１６０などを用いて所望の状態に調整（補正）できないほど悪化する前に、液体ＬＱ２の交換が行われることにより、露光精度の低下を許容範囲内に抑えることが可能である。また、適切なタイミングで液体の交換が行われることにより、装置のダウンタイムの低減を図ることができる。なお、上述の説明においては、ステップ５０７で空間像計測器１２５を用いた計測動作を実行しているが、これに限られず、照度むら計測器１０４、照度モニタ１２２、空間像計測器１２５、波面収差計測器１２７の少なくとも一つを使って、液体ＬＱ２を含む光学系ＰＬＬの光学特性の計測動作を実行することができる。
【０１１１】
なお、上記第２の実施形態では、計測動作と液体交換動作の両方を実行する場合について説明したが、本発明がこれに限られるものではない。すなわち、第１の判断対象及び第１の条件のみを設定し、第１の判断対象が第１の条件を満たす場合に計測動作を実行するのみとしても良い。例えば、液体ＬＱ２の交換は所定のタイミング（ロット交換毎、所定時間経過毎、所定枚数のウエハ処理毎など）で実行する場合、光学系ＰＬＬの光学特性の計測のタイミングを第１の判断対象及び第１の条件で決定することができる。
【０１１２】
なお、上記第２の実施形態では、第１の判断対象と第２の判断対象を同一とする場合について説明したが、本発明がこれに限られるものではなく、第１の判断対象と第２の判断対象とが異なっていても良い。また、第１の判断対象及び第２の判断対象は、液体ＬＱ２の温度変化量に限られず、第１実施形態で説明した液体ＬＱ２の温度分布や溶存酸素濃度など、液体ＬＱ２の他の物性を用いることもできる。
【０１１３】
勿論、第１、第２の判断対象としては、第１の実施形態で説明したその他の判断対象を採用することもできる。例えば、液体ＬＱ２を含む光学系ＰＬＬの光学特性を判断対象とすることもできる。この場合、ウエハ交換中などに、照度むら計測器１０４、照度モニタ１２２、空間像計測器１２５、波面収差計測器１２７の少なくとも一つを使って、液体ＬＱ２を含む光学系ＰＬＬの光学特性の計測動作を実行し、その計測結果に基づいて、光学系ＰＬＬの光学特性の調整（補正）または液体ＬＱ２の交換を実行しても良い。あるいは、各判断対象として、その計測結果から、主制御装置５０により導き出される制御量（例えば、ウエハＷ上の１ショットを露光する際のウエハＷの走査速度や、照明光の照射時間など）、あるいはインテグレータセンサ４６の計測値と反射量モニタ４７の計測値とに基づいて算出される光学系ＰＬＬの収差変動量を判断対象とすることもできる。あるいは、第１実施形態で説明したように、所定動作の実行の有無や実行の回数を判断対象とすることもできる。
【０１１４】
また、上記第２の実施形態においては、上述した種々の判断対象を、第１の判断対象及び第２の判断対象として適宜組み合わせることが可能である。また、第１、第２の判断対象のそれぞれとして、２種以上の判断対象を採用することも可能である。
【０１１５】
また、図６のシーケンスに代えて、第１の判断対象と第２の判断対象を同一とし、かつ第１の条件と第２の条件とを同一として、計測動作と液体交換動作が交互に行なわれるようなシーケンスを採用することも可能である。
【０１１６】
また、第１の判断対象が第１の条件を満たした段階で行われる計測動作の結果を、第２の判断対象とし、該計測結果が所定の条件（第２の条件）を満たしたときを、液体の交換タイミングとすることとしても良い。
【０１１７】
なお、上記実施形態では、光学系ＰＬＬの光学特性の計測動作（ステップ５０７）とその光学特性の調整（ステップ５０９）とを、一連の流れとして行わなくても良い。例えば、１枚のウエハを露光する程度では、光学系ＰＬＬの光学特性が大きく変化しない場合には、１枚のウエハに対する露光が終了した際に計測動作（ステップ５０７）のみを行い、次のウエハに対する露光が終了した際に必要であれば投影光学系の調整を行うこととしても良い。
【０１１８】
なお、上記第２の実施形態においても、第１の実施形態と同様に、ステップ５１１の液体ＬＱ２の交換を一度の交換タイミングで全ての液体を交換せずに、複数回の交換で、液体の全てを交換するようにしても良い。
【０１１９】
また、ステップ５０９においては第１実施形態の計測動作（ａ）の後と同様に、光学系ＰＬＬの光学特性の調整に代えて、あるいは加えて、計測結果に応じて露光条件の変更を行っても良い。
【０１２０】
また、上記第２の実施形態においても、第１の実施形態と同様に、平行平板１９３とウエハＷとの間の液体ＬＱ１を常時交換せずに、上記交換タイミングにおいて、液体ＬＱ１を交換することとしても良い。
【０１２１】
なお、上記第２の実施形態においても、液体交換（ステップ５１１）後には、液体の温度変化に伴って、液体ＬＱ２を含む光学系全体の光学特性が変化するので、上記第１の実施形態と同様、（ａ）露光動作を開始する前に光学特性の計測を行い、かつ該光学特性を考慮して露光を行うこととしたり、（ｂ）液体ＬＱ２の温度が所定温度になった段階で露光を開始したりすることとすることもできる。（ｂ）において、液体の温度を所定温度にするためには、所定時間の待機や、照明光ＩＬの所定時間の照射や、ペルチェ素子、ヒータ、赤外光照射装置等による液体の温度調整などを採用することができる。
【０１２２】
なお、上記各実施形態においては、液体の交換を複数回行う毎に、第２液体供給装置２３１からの液体の供給量を多くしたり、あるいは液体の供給速度を早くしたりすることとしても良い。このようにすることで、比較的液体の交換がされにくい箇所の液体を効率的に交換することができるので、同一の液体が長時間、同一部分に滞留することがなく、これによりバクテリア等の発生を極力抑制することができる。このようにすることでバクテリアに起因する透過率変動や光学特性の変動等を抑制することができるとともに、先端レンズ１９１等の保持に用いられるシール部材などのゴム製品等の腐食を抑制することが可能となる。
【０１２３】
なお、上記各実施形態では、ウエハステージＷＳＴとは別に計測ステージＭＳＴを備えた露光装置について説明したが、計測ステージを必ずしも設ける必要はなく、物体が載置される物体ステージ（ウエハステージＷＳＴ）だけを設けて、物体ステージ上に波面収差計測器１２７等の各種計測器を設けても良い。
【０１２４】
なお、上記各実施形態では、ステップ・アンド・スキャン方式等の走査型露光装置に本発明が適用された場合について説明したが、本発明の適用範囲がこれに限定されないことは勿論である。すなわちステップ・アンド・リピート方式の投影露光装置、さらに、ステップ・アンド・スティッチ方式の露光装置、又はプロキシミティ方式の露光装置などにも、本発明は適用できる。
【０１２５】
また、本発明は、特開平１０−１６３０９９号公報、特開平１０−２１４７８３号公報、特表２０００−５０５９５８号公報などに開示されているようなウエハを保持するウエハステージを複数備えたマルチステージ型の露光装置にも適用できる。
【０１２６】
また、上記液浸法を適用した露光装置は、投影光学系ＰＬの終端光学素子（平行平板１９３）の光射出側の光路空間のみならず、光入射側の光路空間も液体で満たすこととしているが、これに限らず、投影光学系ＰＬの終端光学素子（平行平板１９３）の光射出側の光路空間のみを液体で満たす露光装置を採用することとしても良い。
【０１２７】
また、上記各実施形態においては、投影光学系ＰＬとウエハＷとの間に局所的に液体を満たす露光装置を採用しているが、本発明は、特開平６−１２４８７３号公報、特開平１０−３０３１１４号公報、米国特許第５，８２５，０４３号などに開示されているような露光対象のウエハなどの表面全体が液体中に浸かっている状態で露光を行う液浸露光装置にも適用可能である。この場合、当該液体の交換のタイミングや計測のタイミングを決定するのに本発明の一部を構成する制御装置を用いることができる。
【０１２８】
なお、上記各実施形態においては、光透過性の基板上に所定の遮光パターン（又は位相パターン・減光パターン）を形成した光透過型マスクを用いたが、このマスクに代えて、例えば米国特許第６，７７８，２５７号公報に開示されているように、露光すべきパターンの電子データに基づいて、透過パターン又は反射パターン、あるいは発光パターンを形成する電子マスクを用いても良い。
【０１２９】
また、国際公開第２００１／０３５１６８号パンフレットに開示されているように、干渉縞をウエハＷ上に形成することによって、ウエハＷ上にライン・アンド・スペースパターンを形成する露光装置（リソグラフィシステム）にも本発明を適用することができる。
【０１３０】
露光装置の用途としては半導体製造用の露光装置に限定されることなく、例えば、角型のガラスプレートに液晶表示素子パターンを転写する液晶用の露光装置や、有機ＥＬ、薄膜磁気ヘッド、撮像素子（ＣＣＤ等）、マイクロマシン及びＤＮＡチップなどを製造するための露光装置にも広く適用できる。また、半導体素子などのマイクロデバイスだけでなく、光露光装置、ＥＵＶ露光装置、Ｘ線露光装置、及び電子線露光装置などで使用されるレチクル又はマスクを製造するために、ガラス基板又はシリコンウエハなどに回路パターンを転写する露光装置にも本発明を適用できる。
【０１３１】
なお、上記各実施形態の露光装置の光源は、ＡｒＦエキシマレーザに限らず、ＫｒＦエキシマレーザ（出力波長２４８ｎｍ）、Ｆ2レーザ（出力波長１５７ｎｍ）、Ａｒ2レーザ（出力波長１２６ｎｍ）、Ｋｒ2レーザ（出力波長１４６ｎｍ）などのパルスレーザ光源や、ｇ線（波長４３６ｎｍ）、ｉ線（波長３６５ｎｍ）などの輝線を発する超高圧水銀ランプなどを用いることも可能である。また、ＹＡＧレーザの高調波発生装置などを用いることもできる。この他、ＤＦＢ半導体レーザ又はファイバーレーザから発振される赤外域、又は可視域の単一波長レーザ光を、例えばエルビウム（又はエルビウムとイッテルビウムの両方）がドープされたファイバーアンプで増幅し、非線形光学結晶を用いて紫外光に波長変換した高調波を用いても良い。また、投影光学系は縮小系のみならず等倍および拡大系のいずれでも良い。
【０１３２】
なお、半導体デバイスは、デバイスの機能・性能設計を行うステップ、この設計ステップに基づいたレチクルを製作するステップ、シリコン材料からウエハを製作するステップ、上記実施形態の露光装置で、レチクルに形成されたパターンを前述の液浸露光によりウエハ等の物体上に転写するリソグラフィステップ、デバイス組み立てステップ（ダイシング工程、ボンディング工程、パッケージ工程を含む）、検査ステップ等を経て製造される。この場合、リソグラフィステップで、上記実施形態の露光装置を用いて前述の液浸露光方法が実行され、物体上にデバイスパターンが形成されるので、高集積度のデバイスを歩留り良く製造することができる。
【産業上の利用可能性】
【０１３３】
以上説明したように、本発明の露光装置は、液体を介して物体上にエネルギビームを照射して、物体を露光するのに適している。また、本発明のデバイス製造方法は、マイクロデバイスの製造に適している。
【図面の簡単な説明】
【０１３４】
【図１】第１の実施形態に係る露光装置を示す概略図である。
【図２】図１のノズル部材近傍を一部断面して示す図である。
【図３】ノズル部材７０を−Ｚ側から見た状態を示す図である。
【図４】計測テーブルを示す平面図である。
【図５】第１の実施形態の露光装置の制御系の主要な構成を示すブロック図である。
【図６】第２の実施形態の計測及び液体交換のシーケンスを示すフローチャートである。
【符号の説明】
【０１３５】
１０…露光装置、１２…照明光学系（照明系の一部）、１６…光源（照明系の一部）、５０…主制御装置（制御装置）、１０４…照度むら計測器（計測装置）、１２５…空間像計測器（計測装置）、１２７…波面収差計測器（計測装置）、１６０…結像特性補正コントローラ（調整装置）、２１１…第２液体供給装置（交換装置の一部）、２２１…第２液体回収装置（交換装置の一部）、ＩＬ…照明光（エネルギビーム）、ＬＱ１，ＬＱ２…液体、ＳＲ…温度センサ（計測装置）、Ｗ…ウエハ（物体）。
【図１】
2006332206.tif 000003
【図２】
2006332206.tif 000004
【図３】
2006332206.tif 000005
【図４】
2006332206.tif 000006
【図５】
2006332206.tif 000007
【図６】
2006332206.tif 000008